(57)【要約】【課題】リユースに適した撮像装置を提供する。【解決手段】デジタルカメラ１０の品質に関する品質データ８０を記憶するフラッシュＲＯＭ５０と、撮像時のスルー画像及び撮像後の再生画像を含む通常画像並びにフラッシュＲＯＭ５０に記憶された品質データ８０を表示する液晶ディスプレイ２４と、液晶ディスプレイ２４の表示モードを、通常画像を表示する通常モード又は品質データを表示するメンテナンスモードに選択的に切り替える十字ボタン２８及び表示モード切替回路７２と、十字ボタン２８及び表示モード切替回路７２とにより表示モードがメンテナンスモードに切り替えられた場合に、液晶ディスプレイ２４にフラッシュＲＯＭ５０に記憶された品質データ８０を表示させるＤＳＰ４６とを設ける。【選択図】  図２
2004172954.tif 000002
【特許請求の範囲】
【請求項１】
撮像素子により被写体を撮像し、撮像により得られた画像信号を記録媒体に記録する撮像装置であって、
撮像装置の品質に関する品質データを記憶する品質データ記憶手段と、
所定の条件が成立したときに前記品質データ記憶手段に記憶された品質データを報知する報知手段と、
を有する撮像装置。
【請求項２】
撮像素子により被写体を撮像し、撮像により得られた画像信号を記録媒体に記録する撮像装置であって、
撮像装置の品質に関する品質データを記憶する品質データ記憶手段と、
撮像時のスルー画像及び撮像後の再生画像を含む通常画像並びに前記品質データ記憶手段に記憶された品質データを表示する表示手段と、
前記表示手段の表示モードを、前記通常画像を表示する通常画像表示モード又は品質データを表示する品質データ表示モードに選択的に切り替えるモード切替手段と、
前記モード切替手段により表示モードが品質データ表示モードに切り替えられた場合に、前記表示手段に前記品質データ記憶手段に記憶された品質データを表示させる表示制御手段と、
を有する撮像装置。
【請求項３】
前記品質に関する品質データには、製造年月日、撮影回数、ＬＣＤ（液晶ディスプレイ）の表示時間、ストロボ点灯回数、撮像装置を構成する部品の交換時期、被衝撃履歴のうち少なくともいずれか１つが含まれることを特徴とする請求項１又は請求項２記載の撮像装置。
【発明の詳細な説明】
【０００１】
【発明の属する技術分野】
本発明は、撮像素子により被写体を撮像し、撮像により得られた画像信号を記録媒体に記録する撮像装置に関するものである。
【０００２】
【従来の技術】
現在、環境問題に対する関心の高まり等から、デジタルカメラ等の撮像装置（以下、デジタルカメラ）をリサイクル及びリユース（デジタルカメラでは、リサイクル、すなわち、分解して部品を再利用するよりも、リユース、すなわち、中古品として製品のまま使用することが多いので、以下リユースを主体として説明する。）する動きが広がっている。特に、中古市場におけるデジタルカメラの取引は増加傾向にあり、リユースに適したデジタルカメラが求められている。
【０００３】
ところで、リユースに適したデジタルカメラとしては、各部品やユニットの交換時期を判断するための交換時期データを記録するためのデータメモリを設けたデジタルカメラが知られている（例えば、特許文献１参照。）。このデータメモリの内容を読み出すことにより、デジタルカメラの外装を開けずに、そのデジタルカメラの継続使用の可否、及びデジタルカメラ内部の部品やユニットの交換時期を知ることができるとしている。
【０００４】
【特許文献１】
特開平１１−２３４５４２号公報
【０００５】
【発明が解決しようとする課題】
このような交換時期データを用いることにより、中古市場において、デジタルカメラをその品質に基づいた公正な価格で取引することが可能となる。
【０００６】
しかしながら、上述した従来のデジタルカメラには、デジタルカメラ単体で交換時期データを知ることができる具体的手段は設けられていない。よって、交換時期データを知るためには、データメモリの内容を読み取るための装置が別途必要となる。このような構成ではデジタルカメラの品質を手軽に把握することができないため、中古市場において品質が不明のまま取引されてしまう事態が起こり得る。品質に応じた適正な価格で取引がなされないと、中古市場の信用度が低下することにもなりかねない。これにより、デジタルカメラのリユース化が妨げられるおそれがある。
【０００７】
本発明は上記事実を考慮し、品質に関する品質データを迅速且つ適正に確認することができ、リユースに適した撮像装置を得ることを目的とする。
【０００８】
【課題を解決するための手段】
請求項１記載の発明は、撮像素子により被写体を撮像し、撮像により得られた画像信号を記録媒体に記録する撮像装置であって、撮像装置の品質に関する品質データを記憶する品質データ記憶手段と、所定の条件が成立したときに前記品質データ記憶手段に記憶された品質データを報知する報知手段と、を有する。
【０００９】
請求項１記載の発明によれば、デジタルカメラやビデオカメラ等の撮像装置に、撮像装置の品質に関する品質データを記憶する品質データ記憶手段と、品質データ記憶手段に記憶された品質データを報知する報知手段とが設けられる。これにより、撮像装置単体でその撮像装置の品質データを容易に確認することができる。よって、例えばデジタルカメラやビデオカメラのような撮像装置の中古市場において、品質に見合った公正な価格で取引することが可能となる。また、消費者に対しても品質や耐久性に関して安心できるリユース品を提供することができる。なお、報知手段としては、一般的表示部への表示が考えられるが、音声やプリントアウト等、他の報知手段であってもよい。
【００１０】
請求項２記載の発明は、撮像素子により被写体を撮像し、撮像により得られた画像信号を記録媒体に記録する撮像装置であって、撮像装置の品質に関する品質データを記憶する品質データ記憶手段と、撮像時のスルー画像及び撮像後の再生画像を含む通常画像並びに前記品質データ記憶手段に記憶された品質データを表示する表示手段と、前記表示手段の表示モードを、前記通常画像を表示する通常画像表示モード又は品質データを表示する品質データ表示モードに選択的に切り替えるモード切替手段と、前記モード切替手段により表示モードが品質データ表示モードに切り替えられた場合に、前記表示手段に前記品質データ記憶手段に記憶された品質データを表示させる表示制御手段と、を有する。
【００１１】
請求項２に記載の発明によれば、デジタルカメラやビデオカメラ等の撮像装置に、品質データ記憶手段と、表示手段とが設けられる。品質データ記憶手段は、撮像装置の品質に関する品質データを記憶する。表示手段には、撮像時のスルー画像及び撮像後の再生画像を含む通常画像並びに前記品質データ記憶手段に記憶された品質データが表示される。更に撮像装置には、モード切替手段及び表示制御手段が設けられる。モード切替手段により、表示手段の表示モードが、撮像時のスルー画像及び撮像後の再生画像を含む通常画像を表示する通常画像表示モード又は品質データを表示する品質データ表示モードに選択的に切り替えられる。モード切替手段により表示手段の表示モードが品質データを表示する表示モードに切り替えられた場合に、表示制御手段の制御により表示手段に品質データが表示される。
【００１２】
これにより、撮像装置単体でその撮像装置の品質データを容易に確認することができる。よって、例えばデジタルカメラやビデオカメラ等のような撮像装置の中古市場において、品質に見合った公正な価格で取引することが可能となる。また、消費者に対しても品質や耐久性に関して安心できるリユース品を提供することができる。更にまた、撮像装置にディスプレイを複数設けずとも、表示モードの切替により通常画像の表示に使用されるディスプレイと同じディスプレイに品質データを表示することができる。従って、撮像装置製造のコストを抑えることができ、使い勝手も向上する。
【００１３】
請求項３に記載の発明は、前記請求項１又は請求項２に記載の発明において、前記品質に関する品質データには、製造年月日、撮影回数、ＬＣＤ（液晶ディスプレイ）の表示時間、ストロボ点灯回数、撮像装置を構成する部品の交換時期、被衝撃履歴のうち少なくともいずれか１つが含まれることを特徴とする。
【００１４】
請求項３に記載の発明によれば、撮像装置の品質を的確に把握することができる。なお、被衝撃履歴ついては、例えば撮像装置にＧメータ等を設け、撮像装置が受けた衝撃加速度（Ｇ）を計測して被衝撃履歴を得るようにしてもよい。具体的には、Ｇメータで計測された値のうち所定のレベルを閾値として衝撃の有無をカウントしてもよいし、計測された衝撃加速度をＧのレベル毎にカウントするようにしてもよく、その手法は特に限定されない。
【００１５】
【発明の実施の形態】
以下、図面を参照して、本発明の実施の形態について詳細に説明する。
【００１６】
なお、以下では、本発明をデジタルカメラに適用した場合について説明する。図１（Ａ）に示すように、本発明が適用されたデジタルカメラ１０の正面には、露光に際して被写体が適正な露光光量が得られない低照度の場合に発光されるストロボ１２と、撮影される被写体像と略同等の像を示す光が入射するファインダー窓１４と、被写体像を結像させるための光学レンズ１６と、が設けられている。また、デジタルカメラ１０の側面には、撮影によって得られた画像データをデジタルデータとして記憶する可搬型の記憶メディア（本実施の形態では、スマートメディア）１８（図２参照、図１では省略）を装着可能なスロット２０が設けられている。
【００１７】
なお、光学レンズ１６は、所謂沈胴式の光学レンズであり、撮影時以外は、当該デジタルカメラ１０本体の筐体２２内に沈胴されており、撮影時には、光軸方向に伸縮可能な鏡筒１６Ａが伸長されて、沈胴されていた光学レンズ１６が外部に現れるようになっている。
【００１８】
また、この光学レンズ１６は、鏡筒１６Ａ内に、図示しないズーム光学レンズ群及びフォーカス光学レンズが取り付けられて構成されており、ズーム光学レンズ群は、鏡筒１６Ａの伸縮と共に光軸方向に移動し、所望の撮影倍率になる位置にセットされる（焦点距離可変光学レンズ）。一方、フォーカス光学レンズは、ズーム光学レンズ群の一部の光学レンズを保持する光学レンズ枠に取りつけられたフォーカス光学レンズ枠に取り付けられている。このフォーカス光学レンズ枠は、光軸方向に沿って移動可能とされており、フォーカス光学レンズは、フォーカス光学レンズ枠の移動により、光学レンズを通過した被写体像を示す入射光が後述する撮像素子の受光面上に結像する位置にセットされる（オートフォーカス（ＡＦ）機構）。
【００１９】
なお、本実施の形態では、ズーム光学レンズ群及びフォーカス光学レンズ（すなわちＡＦ機構及び焦点距離可変光学レンズ）を備えた光学レンズ１６を例に説明するが、ズーム光学レンズ群に代えて、ＡＦ機構のみを備えた焦点距離固定光学レンズを用いた構成することもできる。
【００２０】
一方、デジタルカメラ１０の背面には、図１（Ｂ）に示すように、撮影によって得られた被写体像、各種メニュー、パラメータ等を表示する表示手段としての液晶ディスプレイ２４と、ファインダー窓１４から入射した光が図示しない光学部材を介して案内され、撮影する被写体の構図を決定する際に撮影者によって覗かれるファインダー接眼部２６と、撮影倍率をアップ又はダウンしたり、液晶ディスプレイ２４に表示されたメニュー画面から所望のメニュー項目又はパラメータを選択する際に撮影者によって操作される十字ボタン２８と、が設けられている。
【００２１】
更に、デジタルカメラ１０の上面には、デジタルカメラ１０の各部への電源電力の供給／供給停止の切り替えを行う電源スイッチ３０と、撮影を実行する際に撮影者によって押圧操作されるシャッタスイッチ（所謂レリーズスイッチ）３２と、撮影モードを選択する際に撮影者によって回転操作されるモードダイヤル３４と、が設けられている。なお、デジタルカメラ１０には、撮影モード以外に、デジタルカメラ１０の各種設定を行うことができるセットアップモードが設けられており、セットアップモードもモードダイヤル３４により選択される。
【００２２】
次に、図２を参照して、本実施の形態に係るデジタルカメラ１０の電気系の構成を説明する。
【００２３】
同図に示すように、デジタルカメラ１０は、光学レンズ１６を通過した被写体像を示す入射光に基づき被写体を撮像して被写体像を示すアナログ画像信号を出力する撮像素子としてのＣＣＤ（Ｃｈａｒｇｅ  Ｃｏｕｐｌｅｄ  Ｄｅｖｉｃｅ）４０と、入力された信号に対して所定のアナログ信号処理を施すアナログ信号処理部４２と、入力されたアナログ信号をデジタル信号に変換するアナログ／デジタル変換器（以下、「Ａ／Ｄ変換器」という。）４４と、入力されたデジタル信号に対して所定のデジタル信号処理を行うＤＳＰ（Ｄｉｇｉｔａｌ  Ｓｉｇｎａｌ  Ｐｒｏｃｅｓｓｏｒ）４６と、主として被写体像を示すデジタル信号によって示される情報を記憶するＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）４８と、各種プログラムや所定データ等の情報が記憶されたフラッシュＲＯＭ（Ｆｌａｓｈ  Ｒｅａｄ  Ｏｎｌｙ  Ｍｅｍｏｒｙ）５０と、スロット２０に装填されたスマートメディア１８に対して各種情報を読み書きする記録メディアインタフェース（Ｉ／Ｆ）５２と、光学レンズ１６の鏡筒１６Ａを光軸方向に伸縮させる）モータ（図示省略）、及び光学レンズ１６内部のフォーカス光学レンズを光軸方向に移動させたりするモータ（図示省略）を駆動するためのモータドライブ５４と、ＣＣＤ４０に対する撮影時のタイミング制御を行うＣＣＤ制御部５６と、ストロボ１２の発光の制御を行うストロボ制御部５８と、音声録音及び再生するためのマイク６０及びスピーカ６２の駆動するためのオーディオＩ／Ｆ６４と、を備えている。
【００２４】
また、デジタルカメラ１０は、デジタルカメラ１０全体の動作を司るＣＰＵ（中央演算処理装置）６６を更に備えている。このＣＰＵ６６は、ＳＤＲＡＭ４８及びフラッシュＲＯＭ５０と共にメインバスＭＢに接続されており、ＳＤＲＡＭ４８及びフラッシュＲＯＭ５０に任意にアクセスすることができる。
【００２５】
また、ＣＰＵ６６は、十字ボタン２８、電源スイッチ３０、シャッタスイッチ３２、及びモードダイヤル３４と接続されており、これらの十字ボタン２８、電源スイッチ３０、シャッタスイッチ３２、及びモードダイヤル３４の撮影者による操作状態を常時把握できる。
【００２６】
さらに、このＣＰＵ６６は、液晶ディスプレイ２４、ＤＳＰ４６、記録メディアＩ／Ｆ５２、モータドライブ５４、ＣＣＤ制御部５６、ストロボ制御部５８、及びオーディオＩ／Ｆ６４と接続されており、撮影者による十字ボタン２８、電源スイッチ３０、シャッタスイッチ３２、及びモードダイヤル３４の操作状態に応じて、これら各部の作動を制御する。
【００２７】
詳しくは、ＣＰＵ６６は、撮影モード時には、モータドライブ５４にモータを駆動させて、設定された撮影倍率になるようにズーム光学レンズ群を移動させ、且つフォーカス光学レンズを合焦させて、ＣＣＤ制御部５６に所定のタイミングでＣＣＤ４０に被写体像を撮影させる。これによりＣＣＤ４０から被写体像を示すアナログ画像信号が出力される。
【００２８】
このＣＣＤ４０の出力端はアナログ信号処理部４２の入力端に、アナログ信号処理部４２の出力端はＡ／Ｄ変換器４４の入力端に、Ａ／Ｄ変換器４４の出力端はＤＳＰ４６の入力端に、各々接続されている。また、ＤＳＰ４６及びＳＤＲＡＭ４８は共にメインバスＭＢに接続されており、ＣＣＤ４０から出力された被写体像を示すアナログ画像信号は、アナログ信号処理部４２により所定のアナログ信号処理が施され、次いでＡ／Ｄ変換器４４によりデジタル画像信号に変換された後、ＤＳＰ４６により所定のデジタル信号処理が施されてデジタル画像データとしてＳＤＲＡＭ４８に一旦記憶される。
【００２９】
より詳しくは、ＤＳＰ４６では、デジタル画像信号に対して、光源種に応じたデジタルゲインをかけることでホワイトバランス調整を行うと共に、ガンマ処理及びシャープネス処理を行って所定のデジタル画像データを生成し、更にＹＣ変換処理して、輝度データＹとクロマデータＣｒ、Ｃｂ（以下「ＹＣデータ」という）を生成し、このＹＣデータを被写体像を表すデジタル画像データとしてＳＤＲＡＭ４８に格納する。
【００３０】
また、このＤＳＰ４６は、記録メディアＩ／Ｆ５２及び液晶ディスプレイ２４とも接続されており、ＳＤＲＡＭ４８に記憶されたデジタル画像データは、図示しない圧縮伸長手段により所定の圧縮方式で圧縮された後、ＤＳＰ４６から記録メディアＩ／Ｆ５２に転送され、記録メディアＩ／Ｆ５２によりスマートメディア１８に記憶することができる。また、画像再生時にはスマートメディア１８に記憶された再生対象とするデジタル画像データが記録メディアＩ／Ｆ５２により読み出されてＤＳＰ４６に転送され、図示しない圧縮伸長手段により伸長されて、液晶ディスプレイ２４に表示される。
【００３１】
さらに、ＤＳＰ４６は、ＣＣＤ４０による連続的な撮像によって得られた動画像（デジタル画像データ）を、所謂スルー画像として、液晶ディスプレイ２４に表示することで、液晶ディスプレイ２４をファインダとして使用可能としている。
【００３２】
以上説明した構成に加え、ＣＰＵ６６には更に、品質データを採取するための品質データ採取回路７０が備えられている。品質データはデジタルカメラ１０本体の品質を判断するために適用されるものであり、デジタルカメラ１０の製造時期と、デジタルカメラ１０を構成するパーツ（部品及びユニット）の交換時期と、デジタルカメラ１０の使用履歴とを含む。
【００３３】
デジタルカメラ１０の製造時期及びデジタルカメラ１０を構成するパーツの交換時期については、デジタルカメラ１０の製造時及びパーツ交換時に、メーカ或いはメンテナンス業者等により品質データ８０としてフラッシュＲＯＭ５０に記録される。
【００３４】
デジタルカメラ１０の使用履歴については、品質データ採取回路７０が、まず、デジタルカメラ１０の動作を監視することにより使用履歴の基となる基データを取得する。使用履歴の基となる基データには、撮影枚数と、ＬＣＤ（液晶ディスプレイ２４）の表示時間と、ストロボ点灯回数と、被衝撃回数とが含まれる。例えば撮影枚数は、デジタルカメラ１０で撮影処理された場合にカウントアップされる。ＬＣＤの表示時間は、液晶ディスプレイ２４の表示中は継続してカウントアップされる。ストロボ点灯回数は、ストロボ１２が点灯した場合にカウントアップされる。
【００３５】
また、本実施の形態において、デジタルカメラ１０には更に、Ｇメータ９０と、Ａ／Ｄ変換器９２とが設けられている。これらにより基データの１つである被衝撃回数がカウントされる。具体的には、Ｇメータ９０により、デジタルカメラ１０本体が受けた衝撃加速度（Ｇ）が計測される。計測された衝撃加速度（Ｇ）は、Ａ／Ｄ変換器９２によりアナログ信号からデジタル信号に変換され、品質データ採取回路７０に出力される。品質データ採取回路７０は、Ａ／Ｄ変換器９２から出力された衝撃加速度（Ｇ）のレベル毎に被衝撃回数をカウントアップする。なお、衝撃加速度（Ｇ）の値が一定レベル以下であれば、衝撃無しとしてカウント対象から除外するようにしてもよい。
【００３６】
こうして得られた様々なカウント結果に基づいて、品質データ採取回路７０はフラッシュＲＯＭ５０に格納されるべき使用履歴を算出する。具体的には、撮影枚数とストロボ点灯の双方のカウント値から、ストロボ点灯撮影枚数（すなわち、ストロボ点灯回数）及びストロボ非点灯撮影枚数（トータルの撮影枚数からストロボ点灯撮影枚数を差し引いて得られた枚数）が算出される。Ｇメータ９０により得られた被衝撃回数のカウント値については、Ｇのレベル毎のカウント値がそのまま被衝撃履歴を示す品質データ８０とされる。この被衝撃履歴により、デジタルカメラ１０が何Ｇの衝撃を何回受けたかが明らかになる。また、同様に、撮影枚数のカウント値も、そのまま撮影枚数を示す品質データ８０とされる。更に、フラッシュＲＯＭ５０に格納された製造年月日及びパーツ交換時期により、パーツ交換時期からの撮影枚数と、デジタルカメラ１０の製造時からのトータルの撮影枚数とを分けて算出することもできる。以上の如く算出された各種使用履歴がフラッシュＲＯＭ５０に格納される。
【００３７】
このようにして、品質データ８０として、製造年月日と、撮影枚数と、ＬＣＤ表示時間と、製造後のトータル撮影枚数と、ストロボ点灯撮影枚数（ストロボ点灯回数）と、ストロボ非点灯撮影枚数と、各パーツ交換時期と、被衝撃履歴とが得られ、全てフラッシュＲＯＭ５０に格納される。ここではフラッシュＲＯＭ５０が本発明の品質データ記憶手段に対応している。
【００３８】
更にＣＰＵ６６には、表示モード切替回路７２が設けられている。表示モード切替回路７２は、撮影者によって操作される十字ボタン２８による入力を受け、液晶ディスプレイ２４の表示モードを切り替える。該表示モードは、品質データ８０の表示処理を行う表示モード（以下、メンテナンスモードと呼称する）と、撮像時のスルー画像の表示や撮像後の再生等、通常の表示処理を行う表示モード（以下、通常モードと呼称する）とを含む。本実施の形態では、表示モード切替回路７２と十字ボタン２８とが本発明のモード切替手段に対応している。また、本実施の形態における通常モードは、通常画像表示モードに対応し、メンテナンスモードは、品質データ表示モードに対応している。
【００３９】
なお、ＤＳＰ４６は、表示モード切替回路７２により液晶ディスプレイ２４の表示モードがメンテナンスモードに切り替えられた場合、フラッシュＲＯＭ５０に格納された品質データ８０を画像処理して液晶ディスプレイ２４に表示する。具体的には、予めフラッシュＲＯＭ５０に格納された圧縮画像データ８２と品質データ８０とが、ＣＰＵ６６により適宜選択されてフラッシュＲＯＭ５０から読み出される。ＤＳＰ４６は、読み出された圧縮画像データ８２を伸長し、該伸張された圧縮画像データ８２と品質データ８０とを液晶ディスプレイ２４に重畳表示する。なお、圧縮画像データ８２は画面表示用のレイアウトが設定された画像データであるとする。本実施の形態では、液晶ディスプレイ２４が本発明の表示手段に対応し、ＤＳＰ４６が表示制御手段に対応している。
【００４０】
次に、本実施の形態における画面構成を説明する。メンテナンスモードに切り替える場合、まずモードダイヤル３４によりセットアップモードを選択して液晶ディスプレイ２４にセットアップモードの初期画面を表示させる。図３にセットアップモードの初期画面を示す。更に、このセットアップモード画面にて十字ボタン２８により表示モード３１０が選択されると、表示モードの設定画面が液晶ディスプレイ２４に表示される。図４に、表示モード設定画面を示す。この表示モード設定画面にて十字ボタン２８によりメンテナンスモードが選択されると、メンテナンスモードの初期画面が表示される。図５に、メンテナンスモードの初期画面を示す。このメンテナンスモードの初期画面にて、十字ボタン２８により品質データ８０項目の１つであるＬＣＤ表示時間５０４を選択すると、ＬＣＤ表示時間を示す画面が表示される。図６に、ＬＣＤ表示時間表示画面を示す。
【００４１】
以下に本実施の形態の作用を説明する。
【００４２】
図７は、フラッシュＲＯＭ５０に格納された品質データ８０を液晶ディスプレイ２４に表示する処理の流れを示したフローチャートである。
【００４３】
まず、表示モードが切り替えられる（ステップ７００）。具体的には、デジタルカメラ１０のモードダイヤル３４が操作者により回転操作されてセットアップモードが選択される（図示せず）。セットアップモードが選択されると、液晶ディスプレイ２４には、図３に示されるようなセットアップモードの初期画面が表示される。画面の左側には設定項目３００が表示され、画面の右側には該設定項目３００に対応した現在の設定状況３０２が表示される。図示される如く、表示モード３１０の項目において、現在の設定状況３０２は通常モード３１２に設定されている。
【００４４】
設定を変更する場合には、操作者が十字ボタン２８でカーソル３１４を移動させ、所望の設定項目３００を選択する。
【００４５】
ここで表示モード３１０が選択されると、図４に示されるような画面が表示される。選択可能な表示モードの一覧４００が画面中央に表示されている。設定を変更する場合には、同じく操作者が十字ボタン２８でカーソル４０２を移動させ、所望の表示モード項目を選択する。表示モードが選択されると、表示モード切替回路７２が該選択を受けて液晶ディスプレイ２４の表示モードを切り替える。
【００４６】
続いて、ＤＳＰ４６により表示モードに応じた処理が行われる。表示モードが通常モードの場合には（ステップ７０２、通常モード）、通常モード時の画面表示処理がなされる（ステップ７０４）。
【００４７】
表示モードがメンテナンスモードの場合には、（ステップ７０２、メンテナンスモード）、ＤＳＰ４６により、液晶ディスプレイ２４にメンテナンスモードの初期画面が表示される（ステップ７０６）。具体的には、ＤＳＰ４６が、フラッシュＲＯＭ５０に格納されている初期画面用の圧縮画像データ８２を伸張したものと品質データ８０の項目とを液晶ディスプレイ２４に重畳表示することにより、メンテナンスモードの初期画面を形成する。
【００４８】
図５に示される如く、初期画面には製造年月日５００、撮影枚数５０２、ＬＣＤ表示時間５０４、製造後のトータル撮影枚数５０６、ストロボ点灯撮影枚数５０８、ストロボ非点灯撮影枚数５１０、各パーツ交換時期５１２、被衝撃履歴５１４が品質データ８０の項目として表示されている。操作者は、十字ボタン２８でカーソル５１６を移動させ、初期画面で表示された品質データ８０の項目の中から所望の項目を選択することができる（ステップ７０８）。
【００４９】
ここで、ＬＣＤ表示時間５０４が選択された場合、ＣＰＵ６６によりフラッシュＲＯＭ５０から該当の品質データ８０及び圧縮画像データ８２が読み出され、ＤＳＰ４６によって図６に示される如くＬＣＤ表示時間６００が液晶ディスプレイ２４に表示される（ステップ７１０）。これにより、ＬＣＤ表示時間の現在の値が確認できる。ここで操作者によりメンテナンスモードが終了されなければ（ステップ７１２、ＮＯ）、元の画面に戻り、再度品質データ８０の項目を選択して同様に該当の品質データ８０を表示させることができる。
【００５０】
このように操作者はデジタルカメラ１０単体で、容易に品質データ８０の内容を確認することができる。
【００５１】
なお、上述の実施の形態では、デジタルカメラ１０に備えられた液晶ディスプレイ２４に撮像時のスルー画像及び撮像後の再生画像を含む通常画像と、品質データとを表示モードを切り替えることにより表示させたが、例えば、デジタルカメラ１０に品質データ８０を表示する品質データ表示用液晶ディスプレイを、撮像時のスルー画像及び撮像後の再生画像を含む通常画像を表示する液晶ディスプレイとは別に設けることにより、表示モード切替回路７２を不要とする構成としてもよい。
【００５２】
また、上述した表示モードの選択手順や品質データ８０の項目等は一例を示したにすぎず、上記実施の形態に限定されない。更にまた、本発明は上記デジタルカメラ１０に限られるものではなく、様々な撮像装置に適用可能である。
【００５３】
【発明の効果】
以上説明した如く本発明では、撮像装置に記憶された撮像装置の品質に関する品質データが、撮像装置に備えられた表示手段に表示されるようにしたため、撮像装置単体で品質に関する品質データを確認することができ、リユース化が容易となるという優れた効果を奏する。
【図面の簡単な説明】
【図１】（Ａ）は、本発明の実施の形態に係るデジタルカメラの正面図であり、（Ｂ）は、本発明の実施の形態に係るデジタルカメラの背面図である。
【図２】本実施の形態に係るデジタルカメラの電気系の構成を示したブロック図である。
【図３】セットアップモードの初期画面である。
【図４】表示モードの設定画面である。
【図５】メンテナンスモードの初期画面である。
【図６】ＬＣＤ表示時間の表示画面である。
【図７】品質データを液晶ディスプレイに表示する処理の流れを示したフローチャートである。
【符号の説明】
１０  デジタルカメラ（撮像装置）
２４  液晶ディスプレイ（表示手段）
２８  十字ボタン（モード切替手段）
３４  モードダイヤル
４０  ＣＣＤ
４６  ＤＳＰ（表示制御手段）
５０  フラッシュＲＯＭ（品質データ記憶手段）
６６  ＣＰＵ
７０  品質データ採取回路
７２  表示モード切替回路（モード切替手段）
８０  品質データ
９０  Ｇメータ
【図１】
2004172954.tif 000003
【図２】
2004172954.tif 000004
【図３】
2004172954.tif 000005
【図４】
2004172954.tif 000006
【図５】
2004172954.tif 000007
【図６】
2004172954.tif 000008
【図７】
2004172954.tif 000009